(57)【要約】【課題】吸収性物品の内部において陰茎を所望の位置にて保持する。【解決手段】吸収具に用いられる陰茎保持具４は、陰茎を挿入するための貫通孔を有するシート状の保持具本体部５、および、保持具本体部５を吸収具に止着可能とする止着部４１を備える。これにより、吸収具の内部において陰茎を所望の位置にて保持することができる。また、保持具本体部５では、第１保持シート５１および第２保持シート５２のそれぞれにおいて、一のスリットを開くことにより貫通孔が形成される。このとき、当該スリットに沿って当該スリットを挟むように設けられる一対の弾性部材により陰茎が挟持されることにより、吸収具の内部において陰茎をしっかりと保持することができる。【選択図】図２
2012254113.tif 000002
【特許請求の範囲】
【請求項１】
吸収性物品に用いられる陰茎保持具であって、
陰茎を挿入するための貫通孔を有するシート状の本体部と、
前記本体部を前記吸収性物品に止着可能とする止着部と、
を備えることを特徴とする陰茎保持具。
【請求項２】
請求項１に記載の陰茎保持具であって、
前記本体部に設けられる一対の弾性部材をさらに備え、
前記本体部が、所定の方向に伸びるスリットが形成されたシートを備え、
前記一対の弾性部材が、前記スリットに沿って前記スリットを挟むように前記シートに設けられ、
前記スリットを開くことにより、前記貫通孔が形成されることを特徴とする陰茎保持具。
【請求項３】
吸収性物品に用いられる陰茎保持具であって、
陰茎を挿入するための貫通孔を有するシート状の本体部と、
前記本体部に設けられる一対の弾性部材と、
を備え、
前記本体部が、所定の方向に伸びるスリットが形成されたシートを備え、
前記一対の弾性部材が、前記スリットに沿って前記スリットを挟むように前記シートに設けられ、
前記スリットを開くことにより、前記貫通孔が形成されることを特徴とする陰茎保持具。
【請求項４】
請求項２または３に記載の陰茎保持具であって、
前記本体部に設けられる他の一対の弾性部材をさらに備え、
前記本体部が、前記所定の方向と交差する方向に伸びる他のスリットが形成された他のシートを備え、
前記本体部において、前記シートと前記他のシートとが重ねられ、
前記他の一対の弾性部材が、前記他のスリットに沿って前記他のスリットを挟むように前記他のシートに設けられることを特徴とする陰茎保持具。
【請求項５】
請求項４に記載の陰茎保持具であって、
前記シートに設けられるとともに、前記一対の弾性部材を含む複数の弾性部材と、
前記他のシートに設けられるとともに、前記他の一対の弾性部材を含む他の複数の弾性部材と、
をさらに備え、
前記シートにおいて、前記スリットを含むとともに互いに平行な複数のスリットが形成され、前記複数のスリットのうち隣接する２つのスリットの各組合せの間の帯状部に、前記複数の弾性部材のうちの一の弾性部材が設けられ、
前記他のシートにおいて、前記他のスリットを含むとともに互いに平行な他の複数のスリットが形成され、前記他の複数のスリットのうち隣接する２つのスリットの各組合せの間の帯状部に、前記他の複数の弾性部材のうちの一の弾性部材が設けられることを特徴とする陰茎保持具。
【請求項６】
請求項５に記載の陰茎保持具であって、
前記シートにおける互いに離れた２つの帯状部、および、前記他のシートにおける互いに離れた２つの帯状部により、前記本体部の中央領域の外縁が設定され、
前記シートの前記２つの帯状部が前記他のシートに接合され、前記他のシートの前記２つの帯状部が前記シートに接合されることを特徴とする陰茎保持具。
【請求項７】
請求項６に記載の陰茎保持具であって、
前記本体部を伸張した状態において、前記複数の弾性部材のうち前記中央領域を通過する弾性部材の収縮力が他の弾性部材の収縮力よりも弱く、前記他の複数の弾性部材のうち前記中央領域を通過する弾性部材の収縮力が他の弾性部材の収縮力よりも弱いことを特徴とする陰茎保持具。
【請求項８】
請求項６または７に記載の陰茎保持具であって、
前記シートの複数の帯状部のうち前記中央領域を通過する帯状部の幅が他の帯状部の幅よりも広く、前記他のシートの複数の帯状部のうち前記中央領域を通過する帯状部の幅が他の帯状部の幅よりも広いことを特徴とする陰茎保持具。
【請求項９】
請求項６ないし８のいずれかに記載の陰茎保持具であって、
前記中央領域の前記外縁が視認可能であることを特徴とする陰茎保持具。
【発明の詳細な説明】
【技術分野】
【０００１】
本発明は、吸収性物品に用いられる陰茎保持具に関する。
【背景技術】
【０００２】
従来より、着用者からの排泄物を受ける吸収性物品において、着用者の男性性器（陰茎）の位置を制限することにより吸収性物品からの尿の漏れを防止する手法が提案されており、例えば、特許文献１では、紙おむつの内側に、防水弾性材で出来た男性性器収納袋を設け、その中に男性性器を収納する手法が開示されている。
【０００３】
なお、特許文献２では、表面ライナーが開示されており、表面ライナーの排泄物受体は、複数のテープ状部材を格子状に配置して備え、その主面には多数の透孔が分散して形成される。また、各テープ状部材には糸状弾性部材が設けられて不規則な皺が形成され、主面に多様な凹凸分布が形成される。表面ライナーを吸収性物品の肌面側に着用して利用すると、排泄物のうちの固形成分は、排泄物受体の凹凸に滞留させて蓄積させることができ、液体成分は、透孔等を経由して吸収性物品に迅速に至らせることができる。
【先行技術文献】
【特許文献】
【０００４】
【特許文献１】特開２００３−１９９７７９号公報
【特許文献２】特開２００８−７９７５６号公報
【発明の概要】
【発明が解決しようとする課題】
【０００５】
ところで、特許文献１では、紙おむつ内に収納袋が固定されているため、吸収性物品の内部において陰茎を所望の位置にて保持することができない。また、特許文献１では、収納袋内での陰茎の自由度が高くされるため、陰茎をしっかりと保持することができない。
【０００６】
本発明は上記課題に鑑みなされたものであり、吸収性物品の内部において陰茎を所望の位置にて保持する、または、陰茎をしっかりと保持することを目的としている。
【課題を解決するための手段】
【０００７】
請求項１に記載の発明は、吸収性物品に用いられる陰茎保持具であって、陰茎を挿入するための貫通孔を有するシート状の本体部と、前記本体部を前記吸収性物品に止着可能とする止着部とを備える。
【０００８】
請求項２に記載の発明は、請求項１に記載の陰茎保持具であって、前記本体部に設けられる一対の弾性部材をさらに備え、前記本体部が、所定の方向に伸びるスリットが形成されたシートを備え、前記一対の弾性部材が、前記スリットに沿って前記スリットを挟むように前記シートに設けられ、前記スリットを開くことにより、前記貫通孔が形成される。
【０００９】
請求項３に記載の発明は、吸収性物品に用いられる陰茎保持具であって、陰茎を挿入するための貫通孔を有するシート状の本体部と、前記本体部に設けられる一対の弾性部材とを備え、前記本体部が、所定の方向に伸びるスリットが形成されたシートを備え、前記一対の弾性部材が、前記スリットに沿って前記スリットを挟むように前記シートに設けられ、前記スリットを開くことにより、前記貫通孔が形成される。
【００１０】
請求項４に記載の発明は、請求項２または３に記載の陰茎保持具であって、前記本体部に設けられる他の一対の弾性部材をさらに備え、前記本体部が、前記所定の方向と交差する方向に伸びる他のスリットが形成された他のシートを備え、前記本体部において、前記シートと前記他のシートとが重ねられ、前記他の一対の弾性部材が、前記他のスリットに沿って前記他のスリットを挟むように前記他のシートに設けられる。
【００１１】
請求項５に記載の発明は、請求項４に記載の陰茎保持具であって、前記シートに設けられるとともに、前記一対の弾性部材を含む複数の弾性部材と、前記他のシートに設けられるとともに、前記他の一対の弾性部材を含む他の複数の弾性部材とをさらに備え、前記シートにおいて、前記スリットを含むとともに互いに平行な複数のスリットが形成され、前記複数のスリットのうち隣接する２つのスリットの各組合せの間の帯状部に、前記複数の弾性部材のうちの一の弾性部材が設けられ、前記他のシートにおいて、前記他のスリットを含むとともに互いに平行な他の複数のスリットが形成され、前記他の複数のスリットのうち隣接する２つのスリットの各組合せの間の帯状部に、前記他の複数の弾性部材のうちの一の弾性部材が設けられる。
【００１２】
請求項６に記載の発明は、請求項５に記載の陰茎保持具であって、前記シートにおける互いに離れた２つの帯状部、および、前記他のシートにおける互いに離れた２つの帯状部により、前記本体部の中央領域の外縁が設定され、前記シートの前記２つの帯状部が前記他のシートに接合され、前記他のシートの前記２つの帯状部が前記シートに接合される。
【００１３】
請求項７に記載の発明は、請求項６に記載の陰茎保持具であって、前記本体部を伸張した状態において、前記複数の弾性部材のうち前記中央領域を通過する弾性部材の収縮力が他の弾性部材の収縮力よりも弱く、前記他の複数の弾性部材のうち前記中央領域を通過する弾性部材の収縮力が他の弾性部材の収縮力よりも弱い。
【００１４】
請求項８に記載の発明は、請求項６または７に記載の陰茎保持具であって、前記シートの複数の帯状部のうち前記中央領域を通過する帯状部の幅が他の帯状部の幅よりも広く、前記他のシートの複数の帯状部のうち前記中央領域を通過する帯状部の幅が他の帯状部の幅よりも広い。
【００１５】
請求項９に記載の発明は、請求項６ないし８のいずれかに記載の陰茎保持具であって、前記中央領域の前記外縁が視認可能である。
【発明の効果】
【００１６】
本発明によれば、吸収性物品の内部において陰茎を所望の位置にて保持する、または、陰茎をしっかりと保持することができる。
【００１７】
また、請求項４の発明では、陰茎を二方向において挟持することができ、請求項５の発明では、本体部において陰茎を保持する複数通りの位置を設定することができ、請求項６の発明では、陰茎の可動範囲が過度に広がることを防止することができる。
【００１８】
また、請求項７および８の発明では、中央領域において弾性部材による陰茎への圧迫を軽減することができ、請求項９の発明では、中央領域を容易に認識することができる。
【図面の簡単な説明】
【００１９】
【図１】陰茎保持具の正面図である。
【図２】陰茎保持具の背面図である。
【図３】陰茎保持具を着用者に装着した状態を示す図である。
【図４】陰茎保持具の他の例を示す図である。
【発明を実施するための形態】
【００２０】
図１は、本発明の一の実施の形態に係る陰茎保持具４を広げた状態にて示す正面図であり、図２は、陰茎保持具４を広げた状態にて示す背面図である。陰茎保持具４は、後述の吸収具に取り付けられて用いられ、吸収具の内部において着用者の陰茎を保持する。
【００２１】
陰茎保持具４は、略矩形のシート状の保持具本体部５、保持具本体部５に設けられる複数の弾性部材６１，６２、および、保持具本体部５を吸収具に止着可能とする止着部４１を備える。保持具本体部５は、外形がほぼ同じである第１保持シート５１および第２保持シート５２を有し、第１保持シート５１および第２保持シート５２は、外縁が重なった状態で、外縁に沿う領域５０１（図１中にて平行斜線を付す枠状の領域であり、以下、「外縁領域５０１」という。）に塗布されたホットメルト接着剤により互いに接合される。第１保持シート５１および第２保持シート５２は、好ましくは不織布にて形成される。上記ホットメルト接着剤としては、ポリオレフィン系、ゴム系、酢酸ビニル系等のものが利用される。なお、陰茎保持具４における構成部材同士の接合は、ホットメルト接着剤等の接着剤を用いる以外に、熱融着接合や超音波接合等により行われてもよい。
【００２２】
図１に示すように、第１保持シート５１では、外縁領域５０１の内側において、図１中の縦方向（以下、「第１方向」という。）に平行な複数の第１スリット５１１（すなわち、直線状の切れ目であり、一部に符号５１１ａを付している。後述の第２スリット５２１において同様。）が形成される。詳細には、第１方向に垂直な方向（図１中の横方向であり、以下、「第２方向」という。）に関して、第１保持シート５１の中央に１つの第１スリット５１１ａ（以下、「中央第１スリット５１１ａ」という。）が形成され、中央第１スリット５１１ａから第２方向の両側（すなわち、図１中の左側および右側）に同じ距離だけ離れた位置に他の複数の第１スリット５１１が形成される。なお、図２では、太い破線にて第１スリット５１１を示し、図１では、太い破線にて後述の第２スリット５２１を示している。
【００２３】
各第１スリット５１１は、第１方向に関して外縁領域５０１の内側の領域の全長に亘って伸びており、複数の第１スリット５１１のうち第２方向に隣接する２つの第１スリット５１１の各組合せの間が、第１方向に伸びる第１帯状部５１２（一部に符号５１２ｂを付している。後述の第２帯状部５２２において同様。）となる。図１の第１保持シート５１では、中央第１スリット５１１ａに隣接する２つの第１帯状部５１２の幅が最大となり、中央第１スリット５１１ａから離れるに従って第１帯状部５１２の幅が漸次狭くなる。
【００２４】
各第１帯状部５１２における第２方向のおよそ中央には、第１方向に伸びる弾性部材６１（以下、「第１弾性部材６１」という。）がホットメルト接着剤により伸張状態にて接合される。第１弾性部材６１は、第１方向に関して外縁領域５０１の内側の領域の全長に亘って伸びる。実際には、第１保持シート５１は、不織布である２枚のシート部材を積層したものであり（３枚以上であってもよい。）、これらのシート部材の間に第１弾性部材６１が接合される（第２保持シート５２において同様）。第１弾性部材６１としては、例えば、ポリウレタン糸、帯状のポリウレタンフィルム、糸状または帯状の天然ゴム等が利用され、本実施の形態では、ポリウレタン糸が利用される（後述の第２弾性部材６２において同様）。
【００２５】
図２に示すように、第２保持シート５２では、外縁領域５０１の内側において、第２方向（図２中の横方向）に平行な複数の第２スリット５２１が形成される。詳細には、第１方向（図２中の縦方向）に関して、第２保持シート５２の中央に１つの第２スリット５２１ａ（以下、「中央第２スリット５２１ａ」という。）が形成され、中央第２スリット５２１ａから第１方向の両側（すなわち、図２中の上側および下側）に同じ距離だけ離れた位置に他の複数の第２スリット５２１が形成される。
【００２６】
各第２スリット５２１は、第２方向に関して外縁領域５０１（図１参照）の内側の領域の全長に亘って伸びており、複数の第２スリット５２１のうち第１方向に隣接する２つの第２スリット５２１の各組合せの間が、第２方向に伸びる第２帯状部５２２となる。図２の第２保持シート５２では、中央第２スリット５２１ａに隣接する２つの第２帯状部５２２の幅が最大となり、中央第２スリット５２１ａから離れるに従って第２帯状部５２２の幅が漸次狭くなる。各第２帯状部５２２における第１方向のおよそ中央には、第２方向に伸びる弾性部材６２（以下、「第２弾性部材６２」という。）がホットメルト接着剤により伸張状態にて接合される。第２弾性部材６２は、第２方向に関して外縁領域５０１の内側の領域の全長に亘って伸びる。以上のように、保持具本体部５では複数の第１帯状部５１２および複数の第２帯状部５２２が格子状に配置され、各帯状部５１２，５２２に弾性部材６１，６２が設けられる。
【００２７】
図１の第１保持シート５１では、中央第１スリット５１１ａから第２方向の両側に一定の距離だけ離れた２つの第１帯状部５１２ｂのそれぞれにおいて、外側の第１スリット５１１近傍の領域がホットメルト接着剤により第２保持シート５２に接合される。また、第２保持シート５２では、中央第２スリット５２１ａから第１方向の両側に一定の距離だけ離れた２つの第２帯状部５２２ｂ（図１参照）のそれぞれにおいて、外側の第２スリット５２１近傍の領域がホットメルト接着剤により第１保持シート５１に接合される。このように、保持具本体部５では、外縁領域５０１の内側における枠状の領域５０２（図１中にて平行斜線を付す領域であり、以下、「枠状領域５０２」という。）にて、第１保持シート５１と第２保持シート５２とが互いに接合される。
【００２８】
保持具本体部５において、枠状領域５０２から内側の領域（すなわち、枠状領域５０２、および、枠状領域５０２の内側の領域の双方を含む領域）を中央領域５０３と呼ぶと、第１保持シート５１における互いに離れた上記２つの第１帯状部５１２ｂ、および、第２保持シート５２における互いに離れた上記２つの第２帯状部５２２ｂにより、保持具本体部５の中央領域５０３における外縁が設定される。外縁領域５０１の内部において、枠状領域５０２を除く領域では、第１保持シート５１と第２保持シート５２とが互いに非接合である。陰茎保持具４では、枠状領域５０２に塗布されるホットメルト接着剤が着色されているため、枠状領域５０２、すなわち、中央領域５０３の外縁が第１保持シート５１および第２保持シート５２のそれぞれにおいて視認可能である。後述するように、陰茎保持具４により着用者の陰茎を保持する際には、中央領域５０３内にて陰茎を挿入するための貫通孔が形成される。
【００２９】
本実施の形態では、複数の第１弾性部材６１は同じ太さのポリウレタン糸であるが、第１保持シート５１に接合する際において、一部の第１弾性部材６１の伸張状態（伸張率）が他の第１弾性部材６１の伸張状態と相違する。具体的には、第１保持シート５１への接合時において、複数の第１弾性部材６１のうち中央領域５０３を通過する第１弾性部材６１の伸張率が、中央領域５０３を通過しない第１弾性部材６１の伸張率よりも低い。したがって、保持具本体部５を伸張した状態において、複数の第１弾性部材６１のうち中央領域５０３を通過する第１弾性部材６１の収縮力が他の（残りの）第１弾性部材６１の収縮力よりも弱い。図２における第２保持シート５２の第２弾性部材６２についても同様であり、複数の第２弾性部材６２のうち中央領域５０３を通過する第２弾性部材６２の収縮力が他の第２弾性部材６２の収縮力よりも弱い。なお、中央領域５０３を通過する弾性部材における弾性糸の太さや本数、あるいは、弾性糸の種類等を他の弾性部材と相違させることにより、収縮力が変更されてもよい。
【００３０】
図２に示す止着部４１は、第１方向に伸びる帯状の２つのフック部材４１１を有し、２つのフック部材４１１は、第２方向における保持具本体部５の両端部において、外縁領域５０１（図１参照）に設けられる。各フック部材４１１は、例えば、鉤状や錨状、マッシュルーム状等の微細な多数のフック要素を有する微細フック構造が、一方の面に形成された面ファスナであり、他方の面が第２保持シート５２に接合される。
【００３１】
陰茎保持具４を使用する際には、まず、図１の保持具本体部５において、複数の第１スリット５１１に含まれる一の第１スリット５１１と、複数の第２スリット５２１に含まれる一の第２スリット５２１とが交わる中央領域５０３内の位置に陰茎が挿入される。ここでは、第１保持シート５１の中央第１スリット５１１ａと、第２保持シート５２の中央第２スリット５２１ａとが交わる位置（図１および図２中にて符号Ａ１を付す二点鎖線の円にて示す位置）に、第１保持シート５１側から陰茎が挿入される。
【００３２】
このとき、陰茎の挿入により、第１保持シート５１の中央第１スリット５１１ａが広げられるとともに、第２保持シート５２の中央第２スリット５２１ａも広げられ、第１保持シート５１および第２保持シート５２を貫通する貫通孔が保持具本体部５に形成される。陰茎は根元近傍まで当該貫通孔に挿入され、図１の第１保持シート５１において、第２方向における中央第１スリット５１１ａの両側に位置する一対の第１弾性部材６１により陰茎が挟持され、図２の第２保持シート５２において、第１方向における中央第２スリット５２１ａの両側に位置する一対の第２弾性部材６２により陰茎が挟持される。なお、第１保持シート５１および第２保持シート５２のそれぞれにおいて、中央領域５０３を通過する他のスリットに陰茎が挿入されてもよく、この場合、複数の弾性部材のうち当該スリットの両側に位置する他の一対の弾性部材により陰茎が挟持される。
【００３３】
吸収具が使い捨ておむつ等の外装物品の内側に取り付けられた状態で外装物品が着用者に装着される。なお、止着部４１は吸収具に対して着脱自在であり、吸収具の内部において陰茎保持具４が所望の位置に配置されるまで、止着部４１の着脱が繰り返されてよい。
【００３４】
図３は、陰茎保持具４を着用者に装着した状態を示す図であり、陰茎保持具４および吸収具１のみを断面にて示している。図３に示すように、陰茎保持具４において形成された貫通孔５３に着用者の陰茎９１が挿入される。また、陰茎保持具４は止着部４１（図２参照）により吸収具１に止着され、吸収具１内において陰茎保持具４の位置が固定される。
【００３５】
以上に説明したように、陰茎保持具４は、陰茎を挿入するための貫通孔５３を実質的に有するシート状の保持具本体部５、および、保持具本体部５を吸収具１に止着可能とする止着部４１を備える。これにより、吸収具１の内部において陰茎を所望の位置にて保持することができる。その結果、陰茎の先端を吸収具１における一定の位置（通常は、一対の側壁部の間）に配置することができ、着用者から排出される尿を吸収具１へと導いて、吸収具１の外側への尿の漏出を防止することができる。
【００３６】
保持具本体部５では、第１保持シート５１および第２保持シート５２のそれぞれにおいて、一のスリットが開かれて陰茎が挿入され、当該スリットに沿って当該スリットを挟むように設けられる一対の弾性部材により陰茎が挟持される。これにより、吸収具１の内部において陰茎をしっかりと保持することができる。また、保持具本体部５では、スリットの方向が相違する第１保持シート５１および第２保持シート５２が重ねられることにより、陰茎を第１方向および第２方向の二方向において挟持することができる。
【００３７】
また、第１保持シート５１において互いに平行な複数の第１スリット５１１が形成され、第２保持シート５２において互いに平行な複数の第２スリット５２１が形成されることにより、保持具本体部５において、第１スリット５１１と第２スリット５２１とが交わる複数の位置、すなわち、陰茎を保持する複数通りの位置を設定することができる。
【００３８】
ここで、図１の陰茎保持具４において、仮に、陰茎を配置すべき範囲である中央領域５０３内のみに第１スリット５１１および第２スリット５２１を形成する（すなわち、中央領域５０３の周囲にスリットを形成しない）場合には、第１保持シート５１と第２保持シート５２とが接合される枠状領域５０２の外縁領域５０１に対する相対位置がほとんど変更不能となってしまう。したがって、陰茎保持具４の吸収具１に対する止着位置が理想的な位置から大きくずれてしまうと、枠状領域５０２により陰茎が強く圧迫されてしまう。これに対し、中央領域５０３の周囲にもスリットが形成された陰茎保持具４では、上記の場合においても、枠状領域５０２の外縁領域５０１に対する相対位置を、中央領域５０３の周囲におけるスリットによりある程度変更可能であるため、陰茎への圧迫を軽減することができる。
【００３９】
一方、陰茎保持具４において、仮に、全ての第１帯状部および全ての第２帯状部が互いに非接合である（すなわち、枠状領域５０２を設けない）場合には、陰茎の可動範囲が過度に広がってしまうが、陰茎保持具４では、中央領域５０３の外縁にて第１保持シート５１と第２保持シート５２とが接合されることにより、陰茎の可動範囲が過度に広がることを防止することができる。
【００４０】
陰茎保持具４では、保持具本体部５を伸張した状態において、複数の第１弾性部材６１のうち中央領域５０３を通過する第１弾性部材６１の収縮力が他の第１弾性部材６１の収縮力よりも弱く、複数の第２弾性部材６２のうち中央領域５０３を通過する第２弾性部材６２の収縮力が他の第２弾性部材６２の収縮力よりも弱い。これにより、中央領域５０３の周囲では、弾性部材の比較的強い収縮力により一定の剛性を確保しつつ、中央領域５０３において第１弾性部材６１および第２弾性部材６２による陰茎への圧迫を軽減することができる。
【００４１】
また、陰茎保持具４では、第１保持シート５１の複数の第１帯状部５１２のうち中央領域５０３を通過する第１帯状部５１２の幅が他の第１帯状部５１２の幅よりも広く、第２保持シート５２の複数の第２帯状部５２２のうち中央領域５０３を通過する第２帯状部５２２の幅が他の第２帯状部５２２の幅よりも広い。これにより、第１弾性部材６１および第２弾性部材６２のそれぞれにおいて、弾性部材と陰茎との間に帯状部の幅広い部位を介在させて、弾性部材による陰茎への圧迫を軽減することができる。
【００４２】
保持具本体部５において、中央領域５０３の外縁が視認可能であることにより、陰茎保持具４を着用者に装着する際に、中央領域５０３を容易に認識して、陰茎を中央領域５０３内に容易に配置することができる。なお、第１保持シート５１または第２保持シート５２上に枠状領域５０２を示す着色を行うことにより、中央領域５０３の外縁が視認可能とされてもよい。
【００４３】
以上、本発明の実施の形態について説明してきたが、本発明は上記実施の形態に限定されるものではなく、様々な変形が可能である。
【００４４】
陰茎保持具４では、第１保持シート５１および第２保持シート５２のそれぞれにおいて必ずしも複数のスリットが形成される必要はなく、一のスリットのみが形成されてもよい。この場合、第１保持シート５１に形成される第１スリットと、第２保持シート５２に形成される第２スリットとが交差することにより、両者を開けて貫通孔を形成することが可能となる。
【００４５】
また、第１スリットが伸びる方向である第１方向と、第２スリットが伸びる方向である第２方向とは必ずしも直交する必要はなく、第１方向と第２方向とが交差していればよい。
【００４６】
保持具本体部５では、所定の方向に伸びるスリットを有する一のシートのみが設けられてもよい。陰茎保持具４では、保持具本体部５が所定の方向に伸びるスリットが形成されたシートを備え、一対の弾性部材が、当該スリットに沿って当該スリットを挟むように当該シートに設けられることにより、当該スリットを開くことにより形成される貫通孔に陰茎を挿入して、一対の弾性部材により陰茎をしっかりと保持（挟持）することが可能である。
【００４７】
陰茎保持具４において、スリットの両側に設けられる一対の弾性部材により陰茎を保持する手法は、図４に示すように、吸収具１に予め固定された陰茎保持具４ａ（すなわち、止着部を省略した陰茎保持具）において用いられてもよい。図４の陰茎保持具４ａでは、吸収具１の長手方向（他の方向であってもよい。）に伸びる一のスリット５１１が形成され、スリット５１１に垂直な幅方向に関して、当該スリット５１１の両側に設けられる一対の弾性部材６１により陰茎を挟持して、陰茎をしっかりと保持することが可能である。
【００４８】
また、陰茎保持具４において、止着部４１を設けることにより陰茎を所望の位置にて保持する手法は、両側に一対の弾性部材が設けられるスリットとは異なる貫通孔（例えば、円形の開口や、両側に弾性部材が設けられないスリット等）に陰茎を挿入するものに採用されてもよい。
【００４９】
図２の陰茎保持具４では、止着部４１が吸収具１に着脱可能であることにより、陰茎保持具４と吸収具１との着脱を繰り返して、吸収具１の内部において陰茎を所望の位置に容易に配置することが可能であるが、陰茎保持具４の使用の態様によっては、陰茎保持具４において粘着シールが止着部４１として設けられ、保持具本体部５が吸収具１に止着可能とされてもよい。
【００５０】
陰茎保持具４が取り付けられる吸収性物品は、吸収具１以外に、例えば、着用者の腹側に当接する部位と背側に当接する部位とを腰回りで止着して着用するテープタイプの使い捨ておむつや、上端に胴部開口を有するとともに下部に一対の脚部開口を有するパンツタイプの使い捨ておむつであってもよい。
【００５１】
上記実施の形態および各変形例における構成は、相互に矛盾しない限り適宜組み合わされてよい。
【符号の説明】
【００５２】
１    吸収具
４，４ａ    陰茎保持具
５    保持具本体部
４１    止着部
５１    第１保持シート
５２    第２保持シート
５３    貫通孔
６１    第１弾性部材
６２    第２弾性部材
９１    陰茎
５０３    中央領域
５１１，５１１ａ    第１スリット
５１２，５１２ｂ    第１帯状部
５２１，５２１ａ    第２スリット
５２２，５２２ｂ    第２帯状部
【図１】
2012254113.tif 000003
【図２】
2012254113.tif 000004
【図３】
2012254113.tif 000005
【図４】
2012254113.tif 000006